(57)【要約】【課題】  縦幅が小さくても換気通路の流通断面積を確保できる換気装置を提供する。【解決手段】  換気装置は、押出型材からなり屋内と屋外とを連通させる換気通路を有する本体１０と、この換気通路を開閉する開閉手段とを備えている。本体１０の両端にはそれぞれビスホール部材４０が固定され、これら左右一対のビスホール部材４０間に換気通路が形成され、本体１０の長手方向から見た時に、これらビスホール部材４０と換気通路の少なくとも一部が重なっている。ビスホール部材４０は本体１０の長手方向に延びるビスホール４２ａを有し、縦框を貫通する主ビス５２が、このビスホール４２ａにねじ込まれることにより、本体１０が縦框に固定される。【選択図】  図４
2008156976.tif 000002
【特許請求の範囲】
【請求項１】
窓障子の上縁に沿って延びる押出型材からなり屋内と屋外とを連通させる換気通路を有する本体と、この本体の換気通路を開閉する開閉手段とを備え、本体の両端が窓障子の左右の縦框の上端部に固定される換気装置において、
上記本体の両端にそれぞれビスホール部材が固定され、これら左右一対のビスホール部材間に上記換気通路が形成され、本体の長手方向から見た時に、これらビスホール部材と換気通路の少なくとも一部が重なっており、
上記ビスホール部材は本体の長手方向に延びるビスホールを有し、上記縦框を貫通する主ビスが、このビスホールにねじ込まれることにより、上記本体が縦框に固定されることを特徴とする換気装置。
【請求項２】
さらに、本体の両端に配置された樹脂製キャップを備え、このキャップは、上記本体の長手方向と直交する端壁と、この端壁から本体の長手方向に換気通路に向けて突出する受け凸部を有し、
上記キャップの受け凸部と上記ビスホール部材は、本体の長手方向と直交する方向に離間対峙するとともに本体の長手方向に延びる受面を有し、
上記キャップの端壁を貫通する副ビスが、上記キャップの端壁を貫通してキャップの受け凸部の受面とビスホール部材の受面間に、両受面をタッピングしながらねじ込まれることにより、キャップが本体に取り付けられ、
上記主ビスが上記縦框の上端部およびキャップの端壁を貫通して上記ビスホール部材のビスホールにねじ込まれることを特徴とする請求項１に記載の換気装置。
【請求項３】
上記キャップはさらに本体の長手方向に延びる係止凸部を有し、この係止凸部が本体に当たることにより、上記副ビスのねじ込みに際してキャップが本体の長手方向と直交する方向に移動するのを禁じるようになっていることを特徴とする請求項２に記載の換気装置。
【請求項４】
上記本体は、窓障子の障子体の上縁部を収容する障子体呑み込み部と、レールを収容するレール呑み込み部と、レール呑み込み部の屋内側に配置され通気口が形成された正面壁とを有し、
上記換気通路は、上記正面壁と上記レール呑み込み部の屋内側の壁との間に形成された第１部分と、上記障子体呑み込み部の上壁と上記レール呑み込み部の底壁との間に形成された第２部分とを含み、
上記開閉手段は、上記換気通路の第１部分に収容されて上記正面壁の通気口を開閉する開閉板を有し、
上記ビスホール部材は、上記換気通路の第２部分の両端に配置されていることを特徴とする請求項１に記載の換気装置。
【請求項５】
上記本体のレール呑み込み部の両端部が上記障子体呑みこみ部より本体の長手方向に突出しており、このレール呑み込み部の端部の下面に、垂直をなす固定ビスによりビスホール部材が固定され、
さらに、本体の両端に配置された樹脂製キャップを備え、このキャップは、上記本体の長手方向と直交する端壁を有し、
上記キャップの端壁には上記本体のレール呑み込み部に対応する切欠が形成されるとともに、上記障子体呑み込み部に対峙する突出部が形成され、この突出部上面に受け凸部が形成されており、この受け凸部が上記ビスホール部材の下方に配置されており、
上記キャップの受け凸部と上記ビスホール部材は、互いに離間対峙するとともに上記本体の長手方向に延びる受面を有し、
上記キャップの端壁を貫通する副ビスが、上記キャップの端壁を貫通してキャップの受け凸部の受面とビスホール部材の受面間に、両受面をタッピングしながらねじ込まれることにより、キャップが本体に取り付けられ、
上記主ビスが上記縦框の上端部およびキャップの端壁を貫通して上記ビスホール部材のビスホールにねじ込まれることを特徴とする請求項４に記載の換気装置。
【請求項６】
上記キャップは、上記受け凸部近傍において、上記キャップの突出部から本体の長手方向に突出する係止凸部を有し、この係止凸部が上記本体の障子体呑み込み部の上面に当たることにより、上記副ビスのねじ込みに際してキャップが下方へ移動するのを禁じるようになっていることを特徴とする請求項５に記載の換気装置。
【発明の詳細な説明】
【技術分野】
【０００１】
本発明は、窓障子の上縁に装着される換気装置に関する。
【背景技術】
【０００２】
特許文献１に開示されているように、窓障子の上縁に装着される換気装置は公知である。この種の換気装置には、上框一体型（上框を兼用するタイプ）と上框別体型（上框と別体をなして上框に嵌め込まれるタイプ）がある。いずれのタイプの換気装置でも、窓障子の上縁に沿って延びる押出型材からなる本体を備えている。この本体は屋内と屋外とを連通させる換気通路を有しており、この換気通路を開閉手段で開閉するようになっている。
【０００３】
上框一体型の換気装置の場合、本体の両端を窓障子の縦框の上端部に固定する必要がある。また、上框別体型の換気装置でも風が強い地域では本体の両端を縦框に固定することが要求される。
そのため、上記本体はビスホール部を有し、縦框の上端部を貫通するビスをこのビスホール部の端部にタッピングしながらねじ込むことにより、本体を縦框に固定するようになっている。
【特許文献１】実開平６−７６５９１号公報
【発明の開示】
【発明が解決しようとする課題】
【０００４】
ところで、本体は押出型材からなるので、ビスホール部はその全長にわたって延びている。このビスホール部が換気通路に面している場合には、換気通路の流通断面積を減じることになる。そのため、換気通路の流通断面積を確保しようとすると、ビスホール部の分だけ寸法を余計に確保しなければならず、換気装置の大型化を招く。
【０００５】
上框一体型の換気装置を例に挙げて説明すると、この換気装置は、レール呑み込み部と障子体呑み込み部が必須である。換気通路の一部は、このレール呑み込み部と障子体呑み込み部との間に形成される。そのため、このレール呑み込み部と障子体呑み込み部との間にビスホール部が形成される場合には、換気通路の流通断面積を確保するために、これら呑み込み部間の寸法を大きくしなければならず、その分だけ換気装置の見付け（縦幅）が大きくなってしまう。
最近、窓障子の採光性や意匠性の観点から、換気装置の見付けを小さくすることが要求されているが、上記構成ではこの要求に答えることができない。
【課題を解決するための手段】
【０００６】
上記課題を解決するため、本発明は、窓障子の上縁に沿って延びる押出型材からなり屋内と屋外とを連通させる換気通路を有する本体と、この本体の換気通路を開閉する開閉手段とを備え、本体の両端が窓障子の左右の縦框の上端部に固定される換気装置において、上記本体の両端にそれぞれビスホール部材が固定され、これら左右一対のビスホール部材間に上記換気通路が形成され、本体の長手方向から見た時に、これらビスホール部材と換気通路の少なくとも一部が重なっており、上記ビスホール部材は本体の長手方向に延びるビスホールを有し、上記縦框を貫通する主ビスが、このビスホールにねじ込まれることにより、上記本体が縦框に固定されることを特徴とする。
【０００７】
上記構成によれば、主ビスの取り付け位置が本体の長手方向から見て換気通路に重なっていても、主ビスを受け入れるビスホール部材を本体の両端に固定することにより、換気通路と干渉するビスホール部を本体に形成しなくて済む。そのため、換気通路の流通断面積を十分に確保しながら換気装置の小型化を実現することができる。
【０００８】
好ましくは、さらに、本体の両端に配置された樹脂製キャップを備え、このキャップは、上記本体の長手方向と直交する端壁と、この端壁から本体の長手方向に換気通路に向けて突出する受け凸部を有し、上記キャップの受け凸部と上記ビスホール部材は、本体の長手方向と直交する方向に離間対峙するとともに本体の長手方向に延びる受面を有し、上記キャップの端壁を貫通する副ビスが、上記キャップの端壁を貫通してキャップの受け凸部の受面とビスホール部材の受面間に、両受面をタッピングしながらねじ込まれることにより、キャップが本体に取り付けられ、上記主ビスが上記縦框の上端部およびキャップの端壁を貫通して上記ビスホール部材のビスホールにねじ込まれる。
この構成によれば、キャップを備えた換気装置において、ビスホール部材にキャップ取り付けのための副ビスを受け入れるビスホールを形成せずに済む。そのため、ビスホール部材を小型化できるので、換気通路の寸法はこのビスホール部材の制約を受けることなく、最小化することができ、ひいては換気装置のより一層の小型化を図ることができる。
【０００９】
好ましくは、上記キャップはさらに本体の長手方向に延びる係止凸部を有し、この係止凸部が本体に当たることにより、上記副ビスのねじ込みに際してキャップが本体の長手方向と直交する方向に移動するのを禁じるようになっている。
この構成によれば、キャップ移動を禁じることにより本体の受面とキャップの受面との間の間隔が広がらず、副ビスの両受面に対するタッピングを確実に行うことができる。
【００１０】
好ましくは、上記本体は、窓障子の障子体の上縁部を収容する障子体呑み込み部と、レールを収容するレール呑み込み部と、レール呑み込み部の屋内側に配置され通気口が形成された正面壁とを有し、上記換気通路は、上記正面壁と上記レール呑み込み部の屋内側の壁との間に形成された第１部分と、上記障子体呑み込み部の上壁と上記レール呑み込み部の底壁との間に形成された第２部分とを含み、上記開閉手段は、上記換気通路の第１部分に収容されて上記正面壁の通気口を開閉する開閉板を有し、上記ビスホール部材は、上記換気通路の第２部分の両端に配置されている。
この構成によれば、主ビスの取り付け位置が、本体の長手方向から見て障子体呑み込み部とレール呑み込み部との間に形成された換気通路の第２部分に重なっていても、ビスホール部材を用いることにより、換気通路の流通断面積を十分に確保しながら、換気装置の見付け（縦幅）を小さくすることができる。
【００１１】
好ましくは、上記本体のレール呑み込み部の両端部が上記障子体呑みこみ部より本体の長手方向に突出しており、このレール呑み込み部の端部の下面に、垂直をなす固定ビスによりビスホール部材が固定され、さらに、本体の両端に配置された樹脂製キャップを備え、このキャップは、上記本体の長手方向と直交する端壁を有し、上記キャップの端壁には上記本体のレール呑み込み部に対応する切欠が形成されるとともに、上記障子体呑み込み部に対峙する突出部が形成され、この突出部上面に受け凸部が形成されており、この受け凸部が上記ビスホール部材の下方に配置されており、上記キャップの受け凸部と上記ビスホール部材は、互いに離間対峙するとともに上記本体の長手方向に延びる受面を有し、上記キャップの端壁を貫通する副ビスが、上記キャップの端壁を貫通してキャップの受け凸部の受面とビスホール部材の受面間に、両受面をタッピングしながらねじ込まれることにより、キャップが本体に取り付けられ、上記主ビスが上記縦框の上端部およびキャップの端壁を貫通して上記ビスホール部材のビスホールにねじ込まれる。
この構成によれば、キャップを備えた換気装置において、ビスホール部材にキャップ取り付けのための副ビスを受け入れるビスホールを形成せずに済む。そのため、ビスホール部材を小型化できるので、換気通路の第２部分の縦寸法はこのビスホール部材の制約を受けることなく、最小化することができ、ひいては換気装置の縦幅をより一層の小さくすることができる。
【００１２】
好ましくは、上記キャップは、上記受け凸部近傍において、上記キャップの突出部から本体の長手方向に突出する係止凸部を有し、この係止凸部が上記本体の障子体呑み込み部の上面に当たることにより、上記副ビスのねじ込みに際してキャップが下方へ移動するのを禁じるようになっている。
この構成によれば、キャップの下方への移動を禁じることにより本体の受面とキャップの受面との間の間隔が広がらず、副ビスの両受面に対するタッピングを確実に行うことができる。
【発明の効果】
【００１３】
本発明によれば、本体にビスホールを形成する代わりに本体の両端にビスホール部材を固定することにより、本体の小型化を図ることができる。
【発明を実施するための最良の形態】
【００１４】
以下、本発明の一実施形態をなす換気装置を、図面を参照しながら説明する。図１に示すように、この換気装置５は上框一体型であり、窓障子１の上框を兼用しており、その両端が窓障子１の左右の縦框２、３の上端部に連結されている。
【００１５】
図２に示すように、上記換気装置５は本体１０を備えており、この本体１０は、アルミ押出型材からなる第１、第２の型材１１、１２を互いに組み付けることにより構成されている。
【００１６】
上記第１型材１１は、窓障子のガラス製障子体４を呑み込む障子体呑み込み部１１ａと、この障子体呑み込み部１１ａから起立して屋内側に臨む正面壁１１ｂと、この正面壁１１ｂの上端から屋外に向かって突出する支持連結部１１ｃとを有している。上記正面壁１１ｂには多数の通気口１１ｘが左右に間隔をおいて形成されている。
【００１７】
上記第２型材１２は、窓枠の上側のレール９を呑み込むレール呑み込み部１２ａと、このレール呑み込み部１２の屋外側の縁から垂下する背面壁１２ｂとを有している。この背面壁１２ｂには、多数の通気口１２ｘが左右に間隔をおいて形成されている。
上記第２型材１２のレール呑み込み部１２ａにおける屋内側の壁の上端を、上記第１型材１１の支持連結部１１ｃに嵌め込み、背面壁１２ｂの下端を第１型材１１の障子体呑み込み部１１ａの屋外側の角部に嵌め込むことにより、第２型材１２が第１型材１１に連結されている。
【００１８】
上記第１型材１１と第２型材１２との間には内部空間が形成されており、この内部空間の大部分が換気通路１３として提供されている。この換気通路１３は、屋内側の通気口１１ｘと屋外側の通気口１２ｘに連なっている。
上記換気通路１３は断面Ｌ字形をなしており、その縦部分１３ａ（第１部分）は、第１型材１１の正面壁１１ｂと第２型材１２のレール呑み込み部１２ａの屋内側の壁との間に形成されており、その横部分１３ｂ（第２部分）は、第１型材１１の障子体呑み込み部１１ａの上壁と第２型材１２のレール呑み込み部１２ａの底壁との間に形成されている。
【００１９】
上記第１型材１１には、正面壁１１ａの屋内側面を覆うようにして、カバー１４が取り付けられている。このカバー１４には多数の通気口１４ｘが長手方向に間隔をおいて形成されている。カバー１４と正面壁１１ａとの間にはフィルタ１５が介在されている。したがって、第１型材１１の通気口１１ｘはフィルタ１５およびカバー１４の通気口１４ｘを介して屋内空間に連なるようになっている。
理解を助けるために、図２において屋内、屋外間の空気の流れを矢印で示す。
【００２０】
上記換気通路１３の横部分１３ｂは、必須構成である障子体呑み込み部１１ａとレール呑み込み部１２ａの間に配置されており、その縦寸法は換気装置５全体の見付けＨ（縦幅）を決定する。本実施形態では、この換気通路１３の横部分１３ｂが最小限またはそれに近い寸法となっており、換気装置５の見付けＨが従来に比べて小さくなっている。
その結果、この換気装置５の見付けＨは、換気装置５を装着しない窓障子の上框と等しくすることもでき、採光性、意匠性を向上させることができる。
【００２１】
図１に示すように、上記第１型材１１の端部例えば右端部には正面壁１１ａを覆いカバー１４と並んで横長をなす支持板１６が取り付けられている。この支持板１６には操作つまみ２１が左右方向にスライド可能に支持されている。操作つまみ２１は、屋外側に突出する凸部２１ａを有している。
【００２２】
図２に示すように、換気通路１３の縦部分１３ａには、開閉板２２が収容されている。この開閉板２２の上端軸部２２ａは、第１型材１１の支持連結部１１ｃに回動可能かつ軸方向スライド可能に支持されている。開閉板２２の端部には穴が形成され、この穴に上記操作つまみ２１の凸部２１ａが嵌っており、これにより、開閉板２２は操作つまみ２１のスライド操作に伴いスライドするようになっている。
【００２３】
上記開閉板２２の下縁の例えば２箇所には下方に突出する突起（図示しない）が形成されており、これら突起はそれぞれカム部材（図示しない）の上面に形成された傾斜溝に挿入されている。これにより開閉板２２は、操作つまみ２１の左右方向へのスライド操作に伴い軸方向にスライドすると、上記突起とカム部材の傾斜溝とのカム作用により、正面壁１１ｂに接した閉じ位置と、正面壁１１ｂから離れた開き位置との間で揺動するようになっている。
【００２４】
上記操作つまみ２１、開閉板２２、カム部材により、換気通路１３を開閉するための開閉手段２０を構成している。この開閉手段２０は周知であるので、詳細な説明は省略する。なお、開閉手段として、揺動可能な開閉板２２の代わりに正面壁１１ｂの屋外側の面に接したまま本体１０の長手方向にスライドする開閉板を用いてもよいことは勿論である。
【００２５】
図１に示すように、本体１０の両端には樹脂製のキャップ３０が連結され、このキャップ３０を介して縦框２、３が連結されている。これらキャップ３０、縦框２、３の連結構造について以下に詳述する。
【００２６】
図８に示すように、第２型材１２の両端部が第１型材１１より長手方向に突出している。この第２型材１２の両端部には、ビスホール部材４０が取り付けられている。
このビスホール部材４０は、短いアルミ押出型材からなり、図９、図１０に最も良く示されているように、ほぼ水平をなす基部４１と、基部４１の屋内側の縁部に連なるビスホール部４２と、基部４１の屋外側の縁から起立する第１リブ４３と、基部４１の中間部から起立する第２リブ４４と、ビスホール部４２の長手方向中間部の屋内側の面から突出する係合舌部４５とを有している。
【００２７】
上記ビスホール部４２はビスホール４２ａを有している。本実施例ではビスホール４２ａの内周には複数の突条が長手方向に沿って形成されており、このビスホール４２ａに、後述するビス５２（図１（Ｂ），図４に示す）がタッピングしながらねじ込まれるようになっている。このビスホール４２ａは予め雌ねじが形成されていてもよい。
【００２８】
上記ビスホール部材４０は、第２型材１２に端を揃えて固定されている。ビスホール部材４０は、屋内側から見て一部が第１型材１１に覆われており、残りの部分が第２型材１２とともに第１型材１１から突出している。
【００２９】
上記ビスホール部材４０の第２型材１２への固定について説明する。図９，図１０に示すように、第２リブ４４は２箇所において切り欠かれており、この切欠箇所に対応する基部４１には貫通穴４６が形成されている。図３に示すように、この貫通穴４６に下から垂直にビス５０（固定ビス）が貫通し、第２型材１２のレール呑み込み部１２ａの底壁にねじ込まれることにより、ビスホール部材４０が第２型材１２の底壁に固定されている。
【００３０】
なお、左右のビスホール部材４０は、次の順序で固定される。最初に第２型材１２を第１型材１１に対してスライドさせて一方の端部を大きく突出させ、この突出端部に一方のビスホール部材４０を固定する。次に、一方のビスホール部材４０が、第１型材１１の係止溝１１ｄにかしめ固定されたカム部材に当たるまで、第２型材１２をスライドさせることにより、他方の端部を大きく突出させ、この他方の端部に他のビスホール部材４０を固定する。
【００３１】
本体１０の両端に固定された左右一対のビスホール部材４０間に、上記換気通路１３の横部分１３ｂが形成されている。換言すれば、本体１０の長手方向から見た時、ビスホール部材４０と換気通路１３の横部分１３ｂは重なっている。
【００３２】
図３に示すように、上記ビスホール部材４０の係合舌片４５は、第１型材１１の障子体呑み込み部１１ａの上壁に形成された係合溝１１ｄにはまり込んでおり、これにより上記ビスホール部材４０のビス止めの際にビスホール部材４０が回らないようになっている。
【００３３】
図５、図９、図１０に示すように、上記キャップ３０は、本体１０の断面形状に対応した端壁３１を有している。この端壁３１には、上記第１型材１１の障子体呑み込み部１１ａに対峙してその端面に当たる突出部３２と、換気通路１３の縦部分１３ａと対峙してこれを塞ぐ突出部３３とが連なって形成されている。
端壁３１において突出部３２，３３が形成されていない部位は、第２型材１１と対峙してその端面に当たるとともに、換気通路１３の横部分１３ｂと対峙してこれを塞いでいる。端壁３１には第２型材１１のレール呑み込み部１１ａに対応する切欠３１ａが形成されている。
【００３４】
図９、図１０に示すように、上記キャップ３０の端壁３１において、換気通路１３の横部分１３ｂと対峙する部分には、２つの貫通穴３５、３６が形成されている。貫通穴３５は、本体１０の厚み方向（屋内外方向）の中央近傍に配置されており、貫通穴３６はこれより屋外側に配置されている。
【００３５】
図１０に示すように、キャップ３０の突出部３２の上面には、本体１０の長手方向に延びる受け凸部３７が突出形成されている。この受け凸部３７はほぼ半円筒面形状の受面３７ａを有している。図６に示すように、この受面３７ａはキャップ３０を本体１０に装着した状態において、ビスホール部材４０のベース部４１の下面に対峙している。このベース部４１の下面は後述の作用をなす受面４１ａとして提供される。
図６に示すように、上記受面３７ａ，４１ａ間に後述するビス５１がねじ込まれるようになっている。
【００３６】
図１０に示すように、上記キャップ３０は、上記受け凸部３７の延長線上に（受け凸部３７の近傍に）、突出部３２から突出する係止凸部３８を有している。この係止凸部３８は、キャップ３０の本体１０への装着状態において、本体１０の障子体呑み込み部１１ａの上壁の上面に当たり、上記ビス５１のねじ込みの際にキャップ３０が本体１０に対して本体１０の長手方向と直交する方向、すなわち下方向に移動するのを禁じるようになっている。
【００３７】
なお、上記キャップ３０には、本体１０に向かってその長手方向に突出する突起が種々形成されているが、これらはキャップ３０の本体１０に対する回り止めをするためのものであり、本発明の要旨とは関係ないので説明を省略する。
【００３８】
上記キャップ３０は、予め開閉手段２０を組み込みビスホール部材４０を固定した本体１０の両端に取り付けられる。この際、図４〜図６に示すように、ビス５１（副ビス）をキャップ３０の貫通穴３６に挿入し、さらにねじ込んでいく。このビス５１はキャップ３０の受け凸部３７の受面３７ａとビスホール部材４０のベース部４１の受面４１ａとの間にねじ込まれる。キャップ３０は樹脂製であり、ビスホール部材４０はアルミ製であるので、ビス５１は両受面３７ａ，４１ａをタッピングしながらねじ込むことができる。これにより本体１０の両端にキャップ３０を装着することができ、換気装置５の組み立てが完了する。
なお、ビスホール部材４０を本体１０に固定しないと、キャップ３０のビス止め作業を行うことができないので、ビスホール部材４０の取り付け忘れを確実に防止できる。
【００３９】
建築現場または工場において、上記換気装置５を組み込んだ窓障子１を製造する。この際、換気装置５の障子体呑み込み部１１ａに障子体４を嵌めた状態で、縦框２、３の上端部を換気装置５の両端に固定する。詳述すると、ビス５２（主ビス）を縦框２の上端部に形成された貫通穴から差し込む。このビス５２はキャップ３０の貫通穴３５を通ってビスホール部材４０のビスホール４２ａに至る。ビス５２をねじ込むとビス５２はビスホール４２ａをタッピングしながらねじ込まれる。これにより、縦框２、３の上端部に上框としての換気装置５が固定される。
【００４０】
上記構成をなす換気装置５では、本体１０の長手方向から見た時、本体１０の換気通路１３の横部分１３ｂに重なる位置で縦框２、３にビス止めする場合でも、換気通路３の横部分１３ｂに臨むビスホール部を本体１０に形成する代わりに、本体１０の両端にビスホール部材４０を取り付けるようなっており、これにより、横部分１３ｂの縦寸法を大きくせずに、横部分１３ｂの流通断面積を十分に確保することができ、換気装置５の見付けＨを小さくすることができる。
【００４１】
本発明は上記実施形態に制約されず、種々の形態を採用可能である。例えば、ビスホール部材のビスホールには予め雌ねじを形成してもよい。ビスホール部材はアルミより硬いスチール等の金属で構成してもよい。
副ビス５１を受面４１ａ，３７ａ間にねじ込む代わりに、ビスホール部材に形成した他のビスホールにねじ込むことによりキャップをビスホール部材に固定してもよい。
キャップを省略して本体を縦框に固定してもよい。
ビスホール部材４０は第１型材１１の端部に固定してもよい。ビスホール部材は、本体の端部において本体の長手方向に延び換気通路に臨む面に固定することができる。
【００４２】
換気装置本体は、１つまたは複数の押出型材により構成されるものを全て含む。
本発明の換気装置は、上框別体型にも適用できる。この場合、下側に障子体呑み込み部が形成され、上側には窓障子の上框にはめ込まれる嵌合部が形成される。
【図面の簡単な説明】
【００４３】
【図１】（Ａ）は本発明に係わる換気装置を組み込んだ窓障子の上端部の正面図である。（Ｂ）は同左側面図である。
【図２】図１におけるII−II矢視断面図である。
【図３】図１におけるIII−III矢視断面図である。
【図４】図１におけるIV−IV矢視断面図であり、キャップを省略して示す。
【図５】縦框を除いた換気装置の左側面図である。
【図６】同換気装置において、ビスホール部材とキャップと主ビスとの関係を示す断面図である。
【図７】同換気装置において、ビスホール部材を取り付けた本体の第２型材の拡大底面図である。
【図８】同換気装置において、本体とキャップを分解して示す拡大正面図である。
【図９】同換気装置のビスホール部材とキャップを屋内方向から見た分解斜視図である。
【図１０】同換気装置のビスホール部材とキャップを屋外方向から見た分解斜視図である。
【符号の説明】
【００４４】
１  窓障子
２，３  縦框
４  障子体
５  換気装置
９  レール
１０  本体
１１ａ  障子体呑み込み部
１１ｂ  正面壁
１２ａ  レール呑み込み部
１３  換気通路
１３ａ  換気通路の縦部分（第１部分）
１３ｂ  換気通路の横部分（第２部分）
３０  キャップ
３１  端壁
３２  突出部
３５、３６  貫通穴
３７  受け凸部
３７ａ  受面
４０  ビスホール部材
４１ａ  受面
４２  ビスホール部
４２ａ  ビスホール
５０  ビス（固定ビス）
５１  ビス（副ビス）
５２  ビス（主ビス）
【図１】
2008156976.tif 000003
【図２】
2008156976.tif 000004
【図３】
2008156976.tif 000005
【図４】
2008156976.tif 000006
【図５】
2008156976.tif 000007
【図６】
2008156976.tif 000008
【図７】
2008156976.tif 000009
【図８】
2008156976.tif 000010
【図９】
2008156976.tif 000011
【図１０】
2008156976.tif 000012